(57)【要約】【課題】開閉扉の前進過程において、遊技球が開閉扉と前扉の透明板との間に噛み込まれても、当該遊技球の噛み込みを強制的に解消するようにした可変入賞口装置及びこの可変入賞口装置を備えたパチンコ遊技機を提供する。【解決手段】アタッカーの槌機構によれば、開閉扉２２０の前縁部２２３が、ガラス板ＦＤ２の後方へ所定距離の位置に前進したとき、開閉扉２２０の前縁部２２３の左端部とガラス板ＦＤ２との間に噛み込まれる遊技球は、槌部材３０３によりその槌板部３０３ｃにて前縁部２２３の左端部とガラス板ＦＤ２との間から押し出されて、上記噛み込みから解消される。【選択図】図１１
2012045149.tif 000002
【特許請求の範囲】
【請求項１】
パチンコ遊技機の遊技盤にその盤面から前扉の透明板に向けて突出される入賞口部材であって前記盤面の少なくとも上方に向けて開口部を形成するように下方に向けて凹な形状にて凹所を形成してなる入賞口部材と、
当該入賞口部材の前記凹所の前記開口部に沿い前後方向に移動可能に設けられて当該凹所の前記開口部を前方への移動により閉じ後方への移動により遊技球の入賞可能に開く平板状開閉扉と、
この開閉扉を前進或いは後退するように駆動する駆動手段とを備える可変入賞口装置において、
前記開閉扉の左右方向一側裏面部位とこの左右方向一側裏面部位に対する前記凹所の前記開口部の対向部位との間に連結されて前記開閉扉の前進或いは後退に応じて作動するラック−ピニオン機構と、
前記開閉扉の前記左右方向一側裏面部位に対しこの左右方向一側裏面部位に沿い回動可能に支持されて前記開閉扉と前記透明板との間側へ進入可能に槌部を設けてなる槌部材とを備えて、
この槌部材は、前記開閉扉の前進過程において、前記ラック−ピニオン機構により回動されて、前記槌部にて、前記開閉扉と前記透明板との間側へ進入することを特徴とする可変入賞口装置。
【請求項２】
前記開閉扉の前進過程において、当該開閉扉の前縁部が前記透明板の裏面から後方へ所定距離の位置に達する前には前記槌部を前記開閉扉の裏面側に位置させ、前記開閉扉の前記前縁部が前記所定距離に達したときに前記槌部を前記開閉扉と前記透明板との間側へ進入させ、その後の前記開閉扉の前進に伴い前記槌部を前記開閉扉の裏面側に戻すように、前記槌部材が前記ラック−ピニオン機構により前記開閉扉の前進に応じて回動されることを特徴とする請求項１に記載の可変入賞口装置。
【請求項３】
前記所定距離は、遊技球の外径の±１０％の範囲内に相当する距離であることを特徴とする請求項２に記載の可変入賞口装置。
【請求項４】
前記ラック−ピニオン機構は、
前記凹所の前記開口部の前記対向部位に前後方向に長手状に設けられるラックと、
前記ラックと噛合可能な位置にて前記開閉扉の前側左右方向一側部位にその裏面側から回動可能に支持される第１ピニオンと、
この第１ピニオンの後方における前記ラックと噛合可能な位置にて前記開閉扉の前側左右方向一側部位に回動可能に支持されて前記第１ピニオンに噛合する第２ピニオンとを備えて、
前記槌部材は、前記槌部を延出させるように前記第１ピニオンと同軸的に支持される回動基部を具備しており、
前記開閉扉の前進過程において、当該開閉扉の前縁部が前記透明板の裏面から後方へ遊技球の外径の±１０％の範囲内に相当する所定距離に達する前には、前記第１ピニオンは、前記第２ピニオンの前記ラックからの後方への解離のもとに、前記槌部材を前記開閉扉の裏面側に位置させるように前記ラックとの噛合により回動し、前記開閉扉の前記前縁部が前記所定距離に達したときに、前記第１ピニオンは、前記ラックとの噛合による回動のもとに、前記槌部材を前記槌部にて前記開閉扉と前記透明板との間側へ進入させるように回動し、この進入後の前記開閉扉の前進に伴い、前記第２ピニオンが、前記第１ピニオンの前記ラックから前方への解離のもとに当該ラックとの噛合により回動しながら前記第１ピニオンを前記第２ピニオンとは逆方向に回動させて前記槌部材を前記槌部にて前記開閉扉の裏面側に戻すように回動させることを特徴とする請求項１に記載の可変入賞口装置。
【請求項５】
請求項１〜４のいずれか１つに記載の可変入賞口装置を備えて、
当該可変入賞口装置を前記遊技盤にその盤面側から設けるようにしたパチンコ遊技機。
【発明の詳細な説明】
【技術分野】
【０００１】
本発明は、可変入賞口装置及びこの可変入賞口装置を備えたパチンコ遊技機に関する。
【背景技術】
【０００２】
従来、この種のパチンコ遊技機においては、下記特許文献１に記載されたパチンコ遊技機が提案されている。このパチンコ遊技機においては、第１開閉装置が、大入賞口装置として、遊技盤の盤面に設けられている。
【０００３】
ここで、当該第１開閉装置は、遊技盤の前後方向に進退可能な第１大入賞口開閉扉と、この第１大入賞口開閉扉の直下に位置する第１大入賞口とを備えている。
【０００４】
このように構成した第１開閉装置においては、第１大入賞口開閉扉が、遊技盤の前方から後方に向け移動することで、第１大入賞口を開き、また、遊技盤の後方から前方に向け移動することで、第１大入賞口を閉じるようになっている。
【先行技術文献】
【特許文献】
【０００５】
【特許文献１】特開２００８−３０７３１５号公報（特に、段落番号「０２３３」〜段落番号「０２４４」の各欄の記載及び図４４〜図４６の各記載参照）
【発明の概要】
【発明が解決しようとする課題】
【０００６】
しかし、上述したパチンコ遊技機の第１開閉装置においては、第１大入賞口を閉じるにあたり、第１大入賞口開閉扉は、遊技盤の後方から前方に向け移動することで、前扉のガラス板に向けて進むこととなる。
【０００７】
このような段階にて、遊技球が遊技盤の盤面に沿い降下すると、当該遊技球が、前扉のガラス板と第１大入賞口開閉扉との間に噛み込まれて、第１大入賞口開閉扉の前方への移動を妨げる事態が発生する。その結果、第１大入賞口を正しく閉じることができないというおそれが発生する。
【０００８】
そこで、本発明は、以上のようなことに対処するため、開閉扉の前進過程において、遊技球が開閉扉と前扉の透明板との間に噛み込まれても、当該遊技球の噛み込みを強制的に解消するようにした可変入賞口装置及びこの可変入賞口装置を備えたパチンコ遊技機を提供することを目的とする。
【課題を解決するための手段】
【０００９】
上記課題の解決にあたり、本発明に係る可変入賞口装置は、請求項１の記載によれば、
パチンコ遊技機の遊技盤（１０）にその盤面（１１）から前扉（ＦＤ）の透明板（ＦＤ２）に向けて突出される入賞口部材であって前記盤面の少なくとも上方に向けて開口部を形成するように下方に向けて凹な形状にて凹所（２１１）を形成してなる入賞口部材（２１０）と、
当該入賞口部材の上記凹所の上記開口部に沿い前後方向に移動可能に設けられて当該凹所の上記開口部を前方への移動により閉じ後方への移動により遊技球の入賞可能に開く平板状開閉扉（２２０）と、
この開閉扉を前進或いは後退するように駆動する駆動手段とを備える。
【００１０】
当該可変入賞口装置において、
開閉扉の左右方向一側裏面部位とこの左右方向一側裏面部位に対する上記凹所の上記開口部の対向部位との間に連結されて開閉扉の前進或いは後退に応じて作動するラック−ピニオン機構（３０１〜３０６）と、
開閉扉の上記左右方向一側裏面部位に対しこの左右方向一側裏面部位に沿い回動可能に支持されて開閉扉と透明板との間側へ進入可能に槌部（３０３ｃ）を設けてなる槌部材（３０３）とを備えて、
この槌部材は、開閉扉の前進過程において、ラック−ピニオン機構により回動されて、上記槌部にて、開閉扉と透明板との間側へ進入することを特徴とする。
【００１１】
これによれば、槌部材が開閉扉の前進過程においてラック−ピニオン機構により回動されて槌部にて開閉扉と透明板との間側へ進入する。
【００１２】
従って、槌部の開閉扉と透明板との間側への進入に先立ち、落下する遊技球が、開閉扉の前進過程において、この開閉扉と透明板との間に噛み込まれても、当該遊技球は、開閉扉と透明板との間側に進入する槌部により、開閉扉と透明板との間から押し出される。その結果、遊技球の開閉扉と透明板との間への噛み込みが解消され得る。
【００１３】
ここで、上述のようにラック−ピニオン機構が、開閉扉の前進過程において槌部材を回動させることで、槌部材が開閉扉の前進に応じて上記噛み込みを解消する。このことは、なんら電気的制御に依存することなく、遊技球の上記噛み込みを機械的に解消し得ることを意味する。
【００１４】
また、本発明は、請求項２の記載によれば、請求項１に記載の変入賞口装置において、
開閉扉の前進過程において、当該開閉扉の前縁部（２２３）が透明板の裏面から後方へ所定距離の位置に達する前には上記槌部を開閉扉の裏面側に位置させ、開閉扉の上記前縁部が上記所定距離に達したときに上記槌部を開閉扉と透明板との間側へ進入させ、その後の開閉扉の前進に伴い上記槌部を開閉扉の裏面側に戻すように、槌部材がラック−ピニオン機構により開閉扉の前進に応じて回動されることを特徴とする。
【００１５】
これによれば、開閉扉の前進過程において、開閉扉の前縁部が上記所定距離に達するタイミングにて、槌部材は、上記槌部を開閉扉と透明板との間側に進入させるので、この進入に先立ち、落下遊技球が開閉扉と透明板との間に噛み込まれても、当該遊技球は、開閉扉と透明板との間側に進入する槌部により、開閉扉と透明板との間から押し出されて上記噛み込みから解消され得る。
【００１６】
また、この噛み込みの解消後には、開閉扉の前進に伴い、槌部を開閉扉の裏面側に戻すから、開閉扉は、槌部により邪魔されることなく、円滑に前進し得る。
【００１７】
また、本発明は、請求項３の記載によれば、請求項２に記載の可変入賞口装置において、上記所定距離は、遊技球の外径の±１０％の範囲内に相当する距離であることを特徴とする。
【００１８】
これによれば、開閉扉の前進過程においてその前縁部が透明板の裏面から後方へ遊技球の外径の±１０％の範囲内に相当する距離に達したときに、これに先立ち、開閉扉の前縁部と透明板の裏面との間に噛み込まれる遊技球を、槌部により、タイミングよく、開閉扉の前縁部と透明板の裏面との間から押し出して、上記噛み込みから解消させ得る。
【００１９】
また、本発明は、請求項４の記載によれば、請求項１に記載の可変入賞口装置において、
ラック−ピニオン機構は、
上記凹所の上記開口部の上記対向部位に前後方向に長手状に設けられるラック（３０６）と、
ラックと噛合可能な位置にて開閉扉の前側左右方向一側部位にその裏面側から回動可能に支持される第１ピニオン（３０２）と、
この第１ピニオンの後方におけるラックと噛合可能な位置にて開閉扉の前側左右方向一側部位に回動可能に支持されて第１ピニオンに噛合する第２ピニオン（３０５）とを備えて、
槌部材は、上記槌部を延出させるように第１ピニオンと同軸的に支持される回動基部（３０３ａ、３０３ｂ）を具備しており、
開閉扉の前進過程において、当該開閉扉の前縁部が透明板の裏面から後方へ遊技球の外径の±１０％の範囲内に相当する所定距離に達する前には、第１ピニオンは、第２ピニオンのラックからの後方への解離のもとに、槌部材を開閉扉の裏面側に位置させるようにラックとの噛合により回動し、開閉扉の上記前縁部が上記所定距離に達したときに、第１ピニオンは、ラックとの噛合による回動のもとに、槌部材を上記槌部にて開閉扉と透明板との間側へ進入させるように回動し、この進入後の開閉扉の前進に伴い、第２ピニオンが、第１ピニオンのラックから前方への解離のもとに当該ラックとの噛合により回動しながら第１ピニオンを第２ピニオンとは逆方向に回動させて槌部材を上記槌部にて開閉扉の裏面側に戻すように回動させることを特徴とする。
【００２０】
これによれば、上述のようにラック−ピニオン機構及び槌部材が構成されているから、開閉扉の前縁部が上記所定距離に達したときには、槌部材は槌部を開閉扉と透明板との間側に進入させる。
【００２１】
従って、この進入に先立ち、落下する遊技球が、開閉扉と透明板との間に噛み込まれても、開閉扉の前縁部が上記所定距離に達したときに、当該遊技球は、タイミングよく、開閉扉と透明板との間に進入する槌部により、開閉扉と透明板との間から押し出される。その結果、遊技球の開閉扉と透明板との間への噛み込みがタイミングよく解消され得る。
【００２２】
上述のような遊技球の噛み込み解消後、開閉扉のその後の前進に伴い槌部材が上述のように槌部にて開閉扉の裏面側に戻すように回動させるので、開閉扉は、槌部の透明ガラスとの当接を招くことなく、円滑に、前進して前進完了位置に達することで、凹所をその上方から確実に閉じることができる。
【００２３】
また、本発明に係るパチンコ遊技機は、請求項５の記載によれば、
請求項１〜４のいずれか１つに記載の可変入賞口装置を備えた（ＡＴ）を備えて、
当該可変入賞口装置を遊技盤にその盤面側から設けるようにしたものである。
【００２４】
これによれば、請求項１〜４のいずれか１つに記載の発明の作用効果を達成し得るパチンコ遊技機の提供が可能となる。
【発明の効果】
【００２５】
本発明によれば、槌部材が開閉扉の前進過程においてラック−ピニオン機構により回動されて槌部にて開閉扉と透明板との間側へ進入するから、槌部の開閉扉と透明板との間への進入に先立ち、落下する遊技球が開閉扉と透明板との間に噛み込まれても、当該遊技球は、開閉扉と透明板との間側に進入する槌部により、開閉扉と透明板との間から押し出されて、上記噛み込みから解消され得る。
【００２６】
なお、上記各手段の括弧内の符号は、後述する実施形態に記載の具体的手段との対応関係を示す。
【図面の簡単な説明】
【００２７】
【図１】本発明が適用されるパチンコ遊技機の一実施形態を示す正面図である。
【図２】上記実施形態における遊技盤の正面図である。
【図３】上記実施形態におけるアタッカーを、前進完了位置にある開閉扉との関係において示す拡大斜視図である。
【図４】図３におけるアタッカーの平面図である。
【図５】図３における槌機構を、前進完了位置にある開閉扉との関係にて示す部分拡大斜視図である。
【図６】上記実施形態における槌機構を開閉扉と共に示す分解斜視図である。
【図７】上記実施形態におけるアタッカーを、後退完了位置にあるときの開閉扉及び槌機構との関係にて示す斜視図である。
【図８】上記実施形態におけるアタッカーを、後退完了位置にあるときの開閉扉及び槌機構との関係にて示す平面図である。
【図９】上記実施形態における槌機構を、開閉扉のガラス板から後方へ所定距離への到達時との関係にて示す斜視図である。
【図１０】上記実施形態におけるアタッカーを、開閉扉の上記所定距離への到達時との関係にて示す斜視図である。
【図１１】上記実施形態におけるアタッカーを、開閉扉の上記所定距離への到達時との関係にて示す平面図である。
【図１２】上記実施形態における槌機構を、開閉扉の上記所定距離への到達時との関係にて示す部分拡大斜視図である。
【図１３】上記実施形態におけるアタッカーを、開閉扉の所定距離への到達後さらに前進したときの状態にて示す斜視図である。
【図１４】上記実施形態におけるアタッカーを、開閉扉の所定距離への到達後さらに前進したときの状態にて示す平面図である。
【図１５】上記実施形態における槌機構を、開閉扉の所定距離への到達後さらに前進したときとの関係にて示す部分拡大斜視図である。
【発明を実施するための形態】
【００２８】
以下、本発明の一実施形態を図面により説明する。
【００２９】
図１は、本発明が適用されるパチンコ遊技機の第１実施形態を示している。当該パチンコ遊技機は、パチンコホール（図示しない）内の島（図示しない）に立設されるもので、このパチンコ遊技機は、機枠（図示しない）と、この機枠に対し前後方向に開閉可能に支持される遊技機本体Ｂ及び前扉ＦＤとにより構成されている。
【００３０】
なお、前扉ＦＤは、図１にて示すごとく、前枠ＦＤ１の中空部に窓ガラスＦＤ２を嵌め込んで構成されている。また、当該パチンコ遊技機は、いわゆる右打ちタイプのデジパチ型パチンコ遊技機からなるもので、図１において、図示左右方向が、当該パチンコ遊技機の左右方向に対応し、図示奥行き方向が、当該パチンコ遊技機の前後方向に対応し、また、図示上下方向が、当該パチンコ遊技機の上下方向に対応する。
【００３１】
遊技機本体Ｂは、図２にて示すごとく、遊技盤１０を備えており、この遊技盤１０は、遊技機本体Ｂの枠体（図示しない）に嵌装されている。なお、遊技機本体Ｂは、上記枠体が上記機枠によって支持されており、上記機枠に対して前後方向へ開閉可能とされている。
【００３２】
また、当該遊技機本体Ｂは、ガイドレール２０、環状のセンター構造物３０及び遊技釘群４０を備えている。ガイドレール２０は、図２にて示すごとく、遊技盤１０の盤面１１の外周部に沿い配設されており、このガイドレール２０は、その内周側において、遊技盤１０の盤面１１上に遊技領域１１ａを形成する。
【００３３】
しかして、当該ガイドレール２０は、操作ハンドルＨの図１にて図示時計方向への回動操作により、球発射装置（図示しない）から発射される遊技球を遊技領域１１ａの左側上部内に案内する。なお、上記球発射装置は、遊技機本体Ｂの上記枠体の右下部に配設されている。また、操作ハンドルＨは、上記球発射装置の一構成部品として遊技機本体Ｂの上記枠体の右下部にその前面から設けられている。
【００３４】
ここで、当該球発射装置は、操作ハンドルＨの回動角度に応じた打球力でもって、ガイドレール２０に沿い遊技球を所定の時間距離にて順次発射するように構成されている。なお、操作ハンドルＨの回動角度は、所定回動角度以下に規制されている。
【００３５】
しかして、操作ハンドルＨの回動角度を、上記所定回動角度の最大値（最大回動角度）にすれば、遊技球は、操作ハンドルＨの最大の打球力でもって、ガイドレール２０に沿い発射されて、センター構造物３０の右側へ転動する。以下、このように操作ハンドルＨをその最大回動角度まで回動する操作を、右打ち操作という。
【００３６】
なお、遊技領域１１ａの一部を構成する遊技球通路１１ｂが、センター構造物３０の右側部とガイドレール２０との間に形成されている。このため、最大の発射速度で発射された遊技球がガイドレール２０の内周面に沿って移動し遊技球通路１１ｂへと案内されると、この遊技球は、遊技球通路１１ｂを通過した後、センター構造物３０の右下方へと落下していく。
【００３７】
また、操作ハンドルＨの回動角度を中間回動角度にすれば、遊技球は、センター構造物３０の右側に達することなく左側へ転動する。以下、このように操作ハンドルＨをその中間回動角度まで回動する操作を、左打ち操作という。
【００３８】
以上のように、右打ちタイプのパチンコ遊技機は、通常遊技状態では、遊技者による左打ち操作のもとに、遊技球の発射速度を低く抑えて遊技球をセンター構造物３０の左側へ誘導するようにし、また、遊技者に対して有利な遊技状態となる特定遊技状態（大当たりなど）の発生時には、遊技者による右打ち操作のもとに、遊技球の発射速度を最大にして、遊技球をセンター構造物３０の右側へ誘導し、遊技球通路１１ｂを通過して、アタッカーＡＴへの入賞の機会及び右側スルーゲート７０ｂの通過の機会を形成する。
【００３９】
このように、右打ちタイプのパチンコ遊技機は、通常遊技状態と特定遊技状態とで、遊技者に対して、異なる操作ハンドルの操作を行わせて遊技させるタイプのパチンコ遊技機である。
【００４０】
センター構造物３０は、図２にて示すごとく、遊技盤１０の中央開口部の外周部に盤面１１側から組み付けられている。遊技釘群４０は、多数の遊技釘４１からなるもので、当該多数の遊技釘４１は、ガイドレール２０の内周側において、センター構造物３０の左上側から左下側を介し右下側にかけて、遊技盤１０にその盤面１１側から分散して打ち込まれている。
【００４１】
しかして、遊技釘群４０によれば、ガイドレール２０から遊技領域１２の左側上部内に順次案内される遊技球は、遊技盤１０の盤面１１に沿い、各遊技釘４１との衝突を経て、下方へ転動する。
【００４２】
また、当該遊技機本体Ｂは、画像表示器５０を備えており、この画像表示器５０は、その表示面である液晶パネル５１にて、遊技盤１０の中央開口部から前方を臨むように、遊技盤１０にその裏面側から配設されている。
【００４３】
しかして、この画像表示器５０は、表示制御装置（図示しない）による制御のもと、当該パチンコ遊技機による遊技の進行に伴い、大当たり抽選の結果を複数の装飾図柄により表示したり、或いは、リーチ演出として各種の動画像を表示する等の種々の演出表示を行う。
【００４４】
また、当該遊技機本体Ｂは、第１始動口装置であるスタートチャッカー６０ａ、第２始動口装置である電動チューリップ６０ｂ、左右両側スルーゲート７０ａ、７０ｂ、風車８０、複数（３つ）の普通入賞口９０、表示器群１００、及び大入賞口装置であるアタッカーＡＴを備えており、スタートチャッカー６０ａ、電動チューリップ６０ｂ、左右両側スルーゲート７０ａ、７０ｂ、風車８０、各普通入賞口９０及びアタッカーＡＴは、センター構造物３０とともに、左打ち操作による遊技球をスタートチャッカー６０ａに入賞させ易いように、かつ、右打ち操作による遊技球をスタートチャッカー６０ａに入賞させにくいように、図２に示す各配置位置にて、遊技盤１０の盤面１１に遊技領域１１ａ内にて組み付けられている。
【００４５】
ここで、スタートチャッカー６０ａは、センター構造物３０の下縁中央部の直下に位置しており、このスタートチャッカー６０ａは、その左右周辺に位置する複数の遊技釘４１（いわゆる道釘４１）により案内される遊技球やセンター構造物３０のステージ上から落下する遊技球に対し、入賞（始動入賞）の機会を与える。
【００４６】
また、当該スタートチャッカー６０ａは、その遊技球の入賞に基づき、所定個数の賞球を払い出すとともに大当たり抽選の機会を形成する。なお、上記大当たり抽選は、当落抽選ともいい、遊技球の大量獲得を目的とする長当たり、遊技球の大量獲得を目的としない短当たり、遊技球の大量獲得を目的としない小当たり、遊技球の獲得を不能にするハズレのいずれであるかにつき抽選することをいう。
【００４７】
電動チューリップ６０ｂは、普通電動役物としての役割を果たすべく、スタートチャッカー６０ａの直下に位置しており、この電動チューリップ６０ｂは、その左右両側羽根部材の閉動作により、遊技球に対し入賞の機会を与える。
【００４８】
また、当該電動チューリップ６０ｂは、上記左右両側羽根部材の開動作により、遊技球に対する入賞の機会を増大させる。なお、電動チューリップ６０ｂは、スタートチャッカー６０ａと同様の遊技球の始動入賞口装置としての役割をも兼ね、所定個数の賞球の払い出すととともに大当たり抽選の機会を形成する。
【００４９】
左右両側スルーゲート７０ａ、７０ｂのうち、左側スルーゲート７０ａは、図２にて示すごとく、センター構造物３０の左縁中央部の左側に位置している。これにより、操作ハンドルＨの左打ち操作によりセンター構造物３０の左側上部に案内された遊技球が当該左側スルーゲート７０ａの直上から遊技盤１０の盤面１１に沿い下方へ転動するとき、当該遊技球は左側スルーゲート７０ａを通過する機会を得る。なお、遊技球の左側スルーゲート７０ａの通過でもって、電動チューリップ６０ｂを所定の時間及び所定の回数だけ開放する機会を与えるための普通図柄の抽選が開始される。
【００５０】
一方、右側スルーゲート７０ｂは、図２にて示すごとく、センター構造物３０の右下側隅角部の右斜め下側に位置している。これにより、操作ハンドルＨの右打ち操作によりセンター構造物３０の右側上部内に案内された遊技球が遊技盤１０の盤面１１に沿い下方へ転動するとき、当該遊技球は右側スルーゲート７０ｂを通過する機会を得る。なお、遊技球の右側スルーゲート７０ｂの通過でもって、電動チューリップ６０ｂを所定の時間及び所定の回数だけ開放する機会を与えるための普通図柄の抽選が開始される。
【００５１】
風車８０は、左側スルーゲート７０ａの下方に位置しており、この風車８０は、遊技盤１０の盤面１１に沿い左側スルーゲート７０ａ或いはその周囲から下方へ転動する遊技球により衝突されたとき、回転しつつ当該遊技球を下方へ転動させる。
【００５２】
複数（３つ）の普通入賞口９０は、スタートチャッカー６０ａの左側に位置しており、これら各普通入賞口９０は、その直上から下方へ転動する遊技球に対し入賞の機会を与える。ここで、普通入賞口９０への遊技球の入賞に伴い、所定個数の賞球が払い出される。
【００５３】
表示器群１００は、図２にて示すごとく、遊技盤１０の右下隅角部にその前面側から配設されており、この表示器群１００は、普通図柄表示器、普通図柄保留器、特別図柄表示器及び特別図柄保留器でもって構成されている。
【００５４】
ここで、上記普通図柄表示器は、普通図柄を変動表示してこの普通図柄の変動表示の終了に伴い当該普通図柄の抽選結果を表示する。上記普通図柄保留器は、普通図柄の変動表示の保留数を表示する。
【００５５】
上記特別図柄表示器は、スタートチャッカー６０ａへの遊技球の入賞或いは電動チューリップ６０ｂへの遊技球の入賞に伴いなされる大当たり抽選の結果に基づき、特別図柄を変動表示して、この特別図柄の変動表示の終了に伴い大当たり抽選の結果を表示する。また、上記特別図柄保留器は、特別図柄の変動表示の保留数を表示する。
【００５６】
アタッカーＡＴは、図２にて示すごとく、電動チューリップ６０ｂの右斜め上方及び右側スルーゲート７０ｂの左斜め下方に位置するように、遊技盤１０にその盤面１１側から組み付けられている。
【００５７】
当該アタッカーＡＴは、図３に示すごとく、大入賞口機構であるアタッカー本体２００と、このアタッカー本体２００に付設してなる槌機構３００とにより構成されている。
【００５８】
アタッカー本体２００は、遊技盤１０の右側下部に組み付けられており、このアタッカー本体２００は、図３、図６或いは図７にて例示するごとく、板状入賞口部材２１０と、開閉扉２２０と、駆動機構（図示しない）とを備えている。
【００５９】
板状入賞口部材２１０は、遊技盤１０にその盤面１１側から前方へ突設されている。この板状入賞口部材２１０は、図７、図８或いは図１０にて例示するごとく、凹所２１１を有しており、この凹所２１１は、板状入賞口部材２１０の左右方向中間部位にその上面から凹状に形成されている。
【００６０】
当該凹所２１１は、両底壁部２１１ａ、２１１ｂからなる階段状底壁及び左右両壁２１１ｃでもって、略コ字状に形成されて上方に向け開口している。ここで、両底壁部２１１ａ、２１１ｂのうち、底壁部２１１ａは、底壁部２１１ｂの右側に位置しており、この底壁部２１１ａは、その内面にて、右壁２１１ｃから底壁部２１１ｂに向けて傾斜するように形成されている。これにより、この底壁部２１１ａは、凹所２１１内に上方から落下する遊技球を受承して底壁部２１１ｂに向けて案内する。
【００６１】
底壁部２１１ｂは、その内面にて、その前縁部から後縁部にかけて傾斜するように形成されており、この底壁部２１１ｂは、底壁部２１１ａにより案内される遊技球を後側開口部２１２（後述する）に向けて案内するとともに、凹所２１１内に上方から落下する遊技球を直接受承して後側開口部２１２に向けて案内する。
【００６２】
左壁２１１ｃは、底壁部２１１ｂの左端部からＬ字状に上方へ屈曲して延出するように形成されており、一方、右壁２１１ｃは、底壁部２１１ａの右端部からＬ字状に上方へ屈曲して延出するように形成されている。
【００６３】
ここで、凹所２１１は、前壁２１１ｄを有しており、この前壁２１１ｄは、凹所２１１の上記階段状底壁の後縁部からＬ字状に上方へ屈曲して延出するように形成されている。これにより、当該前壁２１１ｄは、遊技球を、凹所２１１の上記階段状底壁の各上面から前方へ落下させない役割を果たす。なお、前壁２１１ｄは、その上端部にて、左壁２１１ｃから右壁２１１ｃにかけて下方に向け傾斜している。
【００６４】
また、凹所２１１は、後壁２１１ｅを有しており、この後壁２１１ｅは、底壁部２１１ａの後縁部からＬ字状に上方へ屈曲して延出するように形成されている。これにより、当該後壁２１１ｅは、底壁部２１１ａの上面から後方へ落下させない役割を果たす。
【００６５】
後側開口部２１２は、凹所２１１内に進入した遊技球を排出する役割を果たすもので、この後側開口部２１２は、凹所２１１において左壁２１１ｃ、底壁部２１１ｂ及び後壁２１１ｅの左端部の間に形成されている。
【００６６】
これにより、凹所２１１内において底壁部２１１ｂにより案内される遊技球が、後側開口部２１２を通りその後方へ転動する。なお、遊技球が後側開口部２１２を通るとき、当該遊技球は、大入賞口センサにより検出される。この検出結果に基づき、遊技制御回路（図示しない）にて大当たり抽選等の処理がなされる。
【００６７】
開閉扉２２０は、遊技盤１０の上記右側下部に形成された大入賞口用開口部（図示しない）内に板状入賞口部材２１０の凹所２１１（後述する）の上側開口部（大入賞口に相当する）に沿い前後方向に移動可能に設けられているもので、この開閉扉２２０は、その後退により、上記大入賞口用開口部内に収容されるように移動し、その前進により、上記大入賞口用開口部から脱出するように移動するようになっている。
【００６８】
なお、本第１実施形態において、開閉扉２２０が上記大入賞口用開口部内に収容されたとき、当該開閉扉２２０は、その前縁部にて、遊技盤１０の盤面１１と同一面内に位置するようになっている。また、当該開閉扉２２０が上記大入賞口用開口部から脱出したとき、この開閉扉２２０の前縁部２２５と前扉ＦＤのガラス板ＦＤ２の裏面との間の距離は、遊技球の外径（例えば、１１（ｍｍ））よりも狭い。一方、当該開閉扉２２０が上記大入賞口用開口部内に収容されているとき、開閉扉２２０の前縁部２２５と前扉ＦＤのガラス板ＦＤ２の裏面との間の距離は、例えば、２５（ｍｍ）と長い。
【００６９】
ここで、開閉扉２２０は、扉本体部２２０ａと、左右両壁部２２１、２２２とを備えており、扉本体部２２０ａは、略四角形の平板状に形成されている。左右両壁部２２１、２２２は、それぞれ、扉本体部２２０ａの左右両端部から下方へＬ字状に屈曲するように延出している。
【００７０】
しかして、当該開閉扉２２０は、その左右両壁部２２１、２２２にて、案内壁部２１３（後述する）の右端部上及び凹所２１１の右壁２１１ｃの上端部上に前後方向へ移動可能に上記駆動機構により支持されている。このことは、開閉扉２２０は、凹所２２１の上記上側開口部に沿い移動可能に支持されていることを意味する。なお、扉本体部２２０ａは、その上面にて、右壁部２２２側から左壁部２２１側にかけて下方に向け傾斜しており、開閉扉２２０の右壁部２２２は、その上面にて、案内壁部２１４（後述する）と一致している。
【００７１】
しかして、開閉扉２２０は、上記駆動機構により前進或いは後退するように駆動されて、上記大入賞口用開口部から脱出して前進完了位置（図３及び図４参照）にあるとき、扉本体部２２０ａにより凹所２１１をその上方から閉鎖し、上記大入賞口用開口部内に収容されて後退完了位置（図８及び図９参照）にあるとき、扉本体部２２０ａにより凹所２１１をその上方から開放する。
【００７２】
このことは、開閉扉２２０は、凹所２１１をその上方から閉鎖することで、後側開口部２１２を閉じ、凹所２１１をその上方から開放することで、後側開口部２１２を開き、アタッカーＡＴに向けて落下してきた遊技球を凹所２１１の内部を通し後側開口部２１２を通過させ得ることを意味する。なお、上記駆動機構は、電磁式アクチュエータを主たる構成要素として、開閉扉２２０を前進或いは後進させるように構成されている。
【００７３】
上述した両案内壁部２１３、２１４は、それぞれ、大板状入賞口部材２１０の上面のうち凹所２１１の左右両側上面部でもって構成されている。このため、閉状態にある開閉扉２２０の扉本体部２２０ａ上に落下した遊技球は、扉本体部２２０ａの上面に沿い案内壁部２１３上に転動した後この案内壁部２１３によりアウト口（図示しない）に向けて案内される。一方、閉状態にある開閉扉２２０の扉本体部２２０ａ上に落下して案内壁部２１４上に転動する遊技球は、案内壁部２１４により上記アウト口に向けて案内される。
【００７４】
槌機構３００は、図４〜図６及び図８のいずれかから分かるごとく、開閉扉２２０の扉本体２２０ａの前側左部位及び入賞口部材２１０の凹所２１１の左壁２１１ｃの後部に亘り、凹所２１１の内側から設けられている。
【００７５】
当該槌機構３００は、回動軸３０１及びピニオン３０２とともに板状槌部材３０３を備えており、ピニオン３０２は、回動軸３０１を介し、扉本体２２０ａの前左側隅角部にその裏面側から、この裏面に平行に回動可能となるように、支持されている。ここで、回動軸３０１は、その基端部にて、扉本体２２０ａの前左側隅角部に軸受け３０１ａを介し回動自在に支持されており、当該回動軸３０１は、その基端部から下方へ扉本体２２０ａの前左側隅角部の裏面に直交するように延出している。
【００７６】
ピニオン３０２は、回動軸３０１の軸方向中間部位に同軸的に支持されており、当該ピニオン３０２は、軸受け３０１ａを基準に、回動軸３０１とともに回動する。なお、ピニオン３０２は平歯車でもって構成されている。
【００７７】
槌部材３０３は、図６にて示すごとく、回動基板部３０３ａ、連結板部３０３ｂ及び槌板部３０３ｃでもって、縦断面クランク状に構成されており、回動基板部３０３ａは、その回動中心孔部にて、回動軸３０１の延出端部に同軸的に支持されている。これにより、回動基板部３０３ａは、ピニオン３０２の直下に位置して、回動軸３０１を介し、当該ピニオン３０２と一体的に回動する。
【００７８】
槌板部３０３ｃは、回動基板部３０３ａの上側にて当該回動基板部３０３ａに平行となるように連結板部３０３ｂを介し一体的に形成されており、当該槌板部３０３ｃは、回動基板部３０３ａと一体的に回動する。
【００７９】
また、当該槌機構３００は、回動軸３０４及びピニオン３０５及びラック３０６を備えている。ピニオン３０５は、ピニオン３０２にその後方から噛合するように、回動軸３０４を介し、扉本体２２０ａの前左側隅角部に支持されている。
【００８０】
ここで、回動軸３０４は、その基端部にて、扉本体２２０ａの前左側隅角部に軸受け（図示しない）を介し回動自在に支持されており、当該回動軸３０４は、その基端部から回動軸３０１にその後方にて平行となるように下方へ延出している。
【００８１】
ピニオン３０５は、回動軸３０４に同軸的に支持されており、当該ピニオン３０５は、ピニオン３０２との噛合のもとに、回動軸３０４とともに回動する。なお、ピニオン３０５は平歯車でもって構成されている。
【００８２】
ラック３０６は、両ピニオン３０１、３０５のいずれかとともにラック−ピニオン機構を構成するもので、このラック３０６は、両ピニオン３０１、３０５のいずれかと噛合可能に、入賞口部材２１０の凹所２１１の左壁２２１ｃの上側後部にその内面側から装着されている。なお、このような装着により、ラック３０６は、一連の歯部にて、前後方向に配列されている。
【００８３】
ここで、本実施形態において、槌機構３００を導入した根拠について説明すると、上述したごとく、開閉扉２２０の前進過程において、遊技球が開閉扉２２０と前扉ＦＤのガラス板ＦＤ２との間に噛み込まれても、当該遊技球を開閉扉２２０と前扉ＦＤのガラス板ＦＤ２との間の噛み込みから強制的に外すようにすることが本発明の主たる技術的解決課題である。
【００８４】
この技術的解決課題を実現するにあたっては、開閉扉２２０がその前進過程において、開閉扉２２０の前縁部２２５と前扉ＦＤのガラス板ＦＤ２の裏面との距離が遊技球の外径に達する直前に、遊技球が開閉扉２２０の前縁部２２５と前扉ＦＤのガラス板ＦＤ２の裏面との間に達したときに、当該遊技球が、開閉扉２２０とガラス板ＦＤ２との間に噛み込まれるという事態が発生し易い。
【００８５】
このような事態が発生したときに当該遊技球の開閉扉２２０とガラス板ＦＤ２との間の噛み込みを強制的に解消するためには、上記事態の発生の際、その発生直前或いはその発生直後において、当該遊技球を開閉扉２２０とガラス板ＦＤ２との間から強制的に押し出すことが考えられる。
【００８６】
このため、上述のように構成した槌機構３００が本実施形態において導入されて、両ピニオン３０２、３０５の開閉扉２２０に対する取り付け位置が、槌部材３０３の回動軸３０１に対する支持角度とともに、ラック３０６の凹所２１１の左壁２２１ｃに対する取り付け位置との間に次のような関係を有するように設定されている。
【００８７】
即ち、開閉扉２２０が後退完了位置にあるとき、両ピニオン３０２、３０５のうち、ピニオン３０５をラック３０６の後方に位置させた状態にて、ピニオン３０２のみが、ラック３０６にその後端歯部３０６ａにて噛合するように、両ピニオン３０２、３０５が、両回動軸３０１、３０４を介し、開閉扉２２０の扉本体２２０ａの前側左部位にその裏面側から支持されるとともに、ラック３０６が、凹所２１１の左壁２２１ｃの上側後部にその内面側から装着されている（図８参照）。
【００８８】
ここで、ピニオン３０２のみがラック３０６にその後端歯部３０６ａにて噛合するとき、槌部材３０３は、扉本体２２０ａの裏面側にて、左壁部２２１に直交して回動軸３０１から右方へ延出するように、当該回動軸３０１に支持されている（図８参照）。
【００８９】
また、開閉扉２２０の前進過程において、当該開閉扉２２０の前縁部２２３が、ガラス板ＦＤ２の裏面から後方へ遊技球の外径に相当する距離（所定距離）の位置に前進したとき、ピニオン３０２がラック３０６の前端歯部３０６ｂに噛合して、槌部材３０３の槌板部３０３ｃがその先端部３０３ｄ側から開閉扉２２０の前縁部２２３の左側部の前方へ傾斜状に延在するように、ラック３０６のピニオン３０２との噛合長さ（ラック３０６の一連の歯部の前後方向長さ）が設定されている。
【００９０】
また、開閉扉２２０の前縁部２２３がガラス板ＦＤ２の裏面から後方へ遊技球の外径に相当する距離を前進側へこえると、ピニオン３０２がラック３０６との噛合（ラック３０６の前端歯部３０６ｂとの噛合）から前方へ解離するとともにピニオン３０５が、ラック３０６にその後端歯部３０６ａから噛合して、開閉扉２２０の前進に伴い回動し、かつ、ピニオン３０２との噛合のもとに当該ピニオン３０２を逆方向に回動させて、槌部材３０３を扉本体２２０ａの裏面側へ回動させるように、両ピニオン３０２、３０５及びラック３０６の各歯数が設定されている。
【００９１】
以上のように構成した本実施形態において、当該パチンコ遊技機では、開閉扉２２０が遊技盤１０の上記アタッカー用開口部内に後退して後退完了位置に維持されているものとする（図７〜図９参照）。
【００９２】
このとき、開閉扉２２０は、上記アタッカー用開口部内に収容されて上記入賞口部材２１０の凹所２１１の上記上側開口部（大入賞口）を開いている。このため、遊技盤１０の盤面１１に沿い上方からアタッカーＡＴに向けて落下する遊技球は、凹所２１１内にその上側開口部から入賞し易い状態となっている。
【００９３】
また、このとき、槌機構３００においては、ピニオン３０５がラック３０６の後端歯部３０６ａから解離してその後方に位置し、ピニオン３０２がラック３０６にその後端歯部３０６ａから噛合し、槌部材３０３が、扉本体２２０ａの裏面側に位置して、開閉扉２２０の左壁部２２１に直交するように、回動軸３０１から右方へ延出している。
【００９４】
従って、落下する遊技球は、槌部材３０３によって邪魔されることなく円滑に凹所２１１にその上側開口部（大入賞口）から入賞することが可能である。その結果、大入賞口を介する凹所２１１への多数の遊技球の入賞が期待され得る。
【００９５】
このような状態において、開閉扉２２０が、上記駆動機構により駆動されて前進状態におかれると、当該開閉扉２２０は、遊技盤１０の上記アタッカー用開口部から前方へ脱出しつつ入賞口部材２１０の凹所２１１の上記上側開口部に沿いガラス板ＦＤ２に向けて前進する。
【００９６】
このような前進過程においては、ピニオン３０２が、ピニオン３０５のラック３０６から後方への解離のもとに、ラック３０６との噛合により回動し、槌部材３０３が、回動軸３０１の軸周りに開閉扉２２０の扉本体２２０ａの裏に沿い回動して槌板部３０３ｃを開閉扉２２０の前縁部２２３側へ回動させる。
【００９７】
然る後、開閉扉２２０の前縁部２２３が、上記所定距離の位置に達すると、槌部材３０３が、槌板部３０３ｃにて、開閉扉２２０の前縁部２２３の前側へ進入する。これに伴い、槌部材３０３の槌板部３０３ｃは、開閉扉２２０の前縁部２２３とガラス板ＦＤ２の裏面との間側へ回動基板部３０３ａから傾斜状に延在するようにして進入することとなる。
【００９８】
このような槌板部３０３ｃの進入に先立ち、開閉扉２２０の前縁部２２３がガラス板ＦＤ２の裏面から後方へ遊技球の外径に相当する距離に達したときに、落下による遊技球が開閉扉２２０の前縁部２２３の左端部とガラス板ＦＤ２の裏面との間に噛み込まれると、当該遊技球は、その下部にて、上述のように開閉扉２２０の前縁部２２３とガラス板ＦＤ２の裏面との間側へ進入する槌板部３０３ｃにより、前縁部２２３の左端部とガラス板ＦＤ２の裏面との間から上方へ押し出される（図１０〜図１３参照）。これにより、当該遊技球の上記噛み込みを解消することができる。
【００９９】
このようにして遊技球の噛み込みが解消されると、開閉扉２２０は、上記駆動機構による駆動のもとに、さらに前進する。これに伴い、ピニオン３０２がラック３０６の前端歯部３０６ｂから前方へ解離するとともに、ピニオン３０５がラック３０６にその後端歯部３０６ａから噛合する。
【０１００】
従って、このようなピニオン３０５のラック３０６との噛合のもと、開閉扉２２０の前進に応じて、ピニオン３０２が、ピニオン３０５により当該ピニオン３０５とは逆方向に回動され、槌部材３０３が、槌板部３０３ｃを扉本体２００ａの裏面側へ戻すように、ピニオン３０２と同一方向に回動する（図１３〜図１５参照）。
【０１０１】
このため、開閉扉２２０は、槌部材３０３の槌板部３０３ｃによるガラ板ＦＤ２との衝突を招くことなく、円滑に前進して前進完了位置に進み、凹所２１１の上記上側開口部を閉じることができる。
【０１０２】
なお、開閉扉２２０を前進完了位置から後退完了位置まで後退させるときの槌機構３００の動作は、上述した開閉扉２２０の前進時の槌機構３００の動作とは反対の動作となる。
【０１０３】
以上説明したように、本実施形態では、アタッカーＡＴが、アタッカー本体２００と、アタッカー本体２００の開閉扉２２０と入賞口部材２１０の凹所２１１との間に上述のごとく連結するように構成した槌機構３００とにより構成されている。
【０１０４】
従って、上述のごとくラック３０６によるピニオン３０５からの解離及びピニオン３０２との噛合のもとに開閉扉２２０が後退完了位置にあるときには、槌部材３０３は、扉本体２２０ａの裏面側に位置し、開閉扉２２０は、入賞口部材２１０の凹所２１１の上側開口部（大入賞口）を開いている。このため、遊技盤１０の盤面１１に沿い上方からアタッカーＡＴに向けて落下する遊技球は、凹所２１１内にその上側開口部から入賞し易い状態となっている。
【０１０５】
このような状態において、開閉扉２２０が、上記駆動機構により駆動されて前進状態におかれると、当該開閉扉２２０の前進に伴いピニオン３０２がラック３０６との噛合のもとに回動して槌部材３０３を開閉扉２２０の前縁部２２３側へ回動させる。
【０１０６】
然る後、開閉扉２２０が、その前縁部２２３にて、ガラス板ＦＤ２の裏面から後方へ遊技球の外径に相当する距離の位置に前進すると、槌部材３０３の槌板部３０３ｃは、ピニオン３０２と同一方向への回動のもとに、先端部３０３ｄを、開閉扉２２０の前縁部２２３の左端部とガラス板ＦＤ２の裏面との間側に進入させる。
【０１０７】
しかして、このような進入に先立ち、遊技球が開閉扉２２０の前縁部２２３の左端部とガラス板ＦＤ２の裏面との間に噛み込まれると、この遊技球の噛み込みが、上述した槌部材３０３の槌板部３０３ｃの進入でもって強制的に解消され得る。
【０１０８】
また、このような噛み込みの解消後、開閉扉２２０のさらなる前進に応じ、ピニオン３０５が、ピニオン３０２のラック３０６からの前方への解離にあわせて、ラック３０６にその後端歯部３０６ａから噛合して槌部材３０３を扉本体２２０ａの裏面側へ戻す方向に回動する。従って、開閉扉２２０は、槌部材３０３のガラス扉ＦＤ２との衝突を招くことなく、円滑に前進し終えることができる。
【０１０９】
また、上述のように、槌機構３００という機械的構成をアタッカー本体２００に付加することで、開閉扉２２０の前進に連動して槌機構３００が上記構成のもとに遊技球の噛み込みを解消する。従って、なんらかの電気的構成や電気的制御に依存することなく、単なる機械的構成でもって、上述の遊技球の噛み込みを解消し得る。
【０１１０】
なお、本発明の実施にあたり、上記実施形態に限ることなく、次のような種々の変形例が挙げられる。
（１）本発明の実施にあたり、上記実施形態にて述べた槌機構３００を、開閉扉２２０の扉本体２２０ａの前側右部位及び入賞口部材２１０の凹所２１１の右壁２１１ｃの後部に亘り、凹所２１１の内側から設けるようにしてもよい。この場合、新たな槌機構は、上記実施形態にて述べた槌機構３００に対し対称的な構成を有するようにする。
【０１１１】
これによれば、開閉扉２２０の左右両側端部とガラス板ＦＤ２との間の遊技球の噛み込みが上記実施形態と同様に解消され得る。なお、これに代えて、上記実施形態にて述べた槌機構３００を、開閉扉２２０の扉本体２２０ａの前側右部位及び入賞口部材２１０の凹所２１１の右壁２１１ｃの後部に亘り、凹所２１１の内側から設けるようにしてもよい。
（２）本発明の実施にあたり、上記実施形態にて述べたアタッカーＡＴは、上記実施形態とは異なり、一般的な左打ちタイプのパチンコ遊技機と同様に、電動チューリップ６０ｂの直下に設けるようにしてもよい。この場合、アタッカーは、左右方向に水平な開閉扉を備えた構成であってもよい。
（３）本発明の実施にあたり、開閉扉２２０の扉本体２２０ａは、左右両壁部２２１、２２２の各延出長さに相当する厚さを有していてもよい。
（４）本発明の実施にあたり、遊技球の外径は、１１（ｍｍ）に限ることなく、その加工精度や使用による摩耗を考慮して、１１（ｍｍ）±１０（％）の範囲内であってもよい。従って、上述の距離は、１１（ｍｍ）の±１０（％）の範囲内であってもよい。
（５）本発明の実施にあたり、アタッカーＡＴに限ることなく、一般的には、遊技盤１０の盤面に設けられる可変入賞口装置に本発明を適用してもよい。
【符号の説明】
【０１１２】
ＦＤ…前扉、ＦＤ２…ガラス板、１０…遊技盤、１１…盤面、
ＡＴ…アタッカー、２１０…入賞口部材、２１１…凹所、
２２０…開閉扉、２２３…前縁部、３００…槌機構、３０１、３０４…回動軸、
３０２、３０５…ピニオン、３０３…槌部材、３０３ａ…回動基板部、
３０３ｂ…連結板部、３０３ｃ…槌板部、３０６…ラック。
【図１】
2012045149.tif 000003
【図２】
2012045149.tif 000004
【図３】
2012045149.tif 000005
【図４】
2012045149.tif 000006
【図５】
2012045149.tif 000007
【図６】
2012045149.tif 000008
【図７】
2012045149.tif 000009
【図８】
2012045149.tif 000010
【図９】
2012045149.tif 000011
【図１０】
2012045149.tif 000012
【図１１】
2012045149.tif 000013
【図１２】
2012045149.tif 000014
【図１３】
2012045149.tif 000015
【図１４】
2012045149.tif 000016
【図１５】
2012045149.tif 000017